(57)【要約】  グリーティングカード及びギフトパッケージの組合せは、個人的なメッセージを中に有することができるだけではなく、ギフト（例えば、チョコレート、ゼリー豆又は他の種類のギフト等）を収容する区画部も有するギフトカードである。本発明は、ギフトを中に保持するために、かつ、即郵送可能なパッケージとするために内部の区画部を封止する、延びているフラップＧ、Ｋを有する。受け取った場合、取外し可能な部分又は切取り部分つまり外側包装を取り外すことができ、標準的なグリーティングカードとして立てることができるグリーティングカードを残すことができる。【選択図】図３
2011509896.tif 000002
【特許請求の範囲】
【請求項１】
内容物収容部と、
弱め線に沿って、前記内容物収容部を塞がないように折り畳むことができるパネル部と、
前記内容物収容部の封止用手段と
を備えている包装用手段であって、
前記パネル部は、少なくとも２つの形態に構成可能であり、前記形態において、前記封止用手段は、前記内容物収容部が封止されているとき、前記パネル部が自由に動くことができないように前記内容物収容部を封止することができる、包装用手段
【請求項２】
全ての前記形態において、折り畳まれている前記パネル部が前記内容物収容部に実質的に完全に接して横たわっており、かつ、前記パネル部の露出部分を横断する弱め線が存在しない、請求項１に記載の包装用手段。
【請求項３】
全ての前記形態において、前記パネル部の一部分が露出され、かつ、前記パネル部の残りが隠れており、前記形態の各々において、前記パネル部の異なる部分が露出されており、全ての前記形態において、前記パネル部における前記露出されている部分が、前記内容物収容部における同一表面上に露出されている、請求項１又は２に記載の包装用手段。
【請求項４】
前記封止用手段が、少なくとも２つの異なる封止用機構を備えている、請求項１〜３のいずれか一項に記載の包装用手段。
【請求項５】
前記少なくとも２つの異なる封止用機構における第１の封止用機構によって、繰り返し開放及び再封することができる、請求項４に記載の包装用手段。
【請求項６】
前記少なくとも２つの異なる封止用機構における第２の封止用機構によって、１回のみ封止及び開封することができる、請求項４又は５に記載の包装用手段。
【請求項７】
前記第１の封止用機構は、前記第２の封止用機構が使用され、かつ、開封された後でも、まだ使用され得る、請求項６に記載の包装用手段。
【請求項８】
前記第１の封止用機構が、
前記内容物収容部における開口部をカバーするためのカバー用フラップであり、前記パネル部に一体的に取着されているカバー用フラップと、
前記内容物収容部を封止するために前記内容物収容部内に折り畳まれるように、かつ、前記内容物収容部を開封するために引き抜くことができるように、前記カバー用フラップに一体的に接続されている封止用フラップと、
を備えている、請求項４〜７のいずれか一項に記載の包装用手段。
【請求項９】
前記カバー用フラップが前記内容物収容部における前記開口部をカバー及び封止するように、前記封止用フラップを前記内容物収容部に固着するために、前記第２の封止用機構が、前記封止用フラップに配置されている粘着物を備えている、請求項８に記載の包装用手段。
【請求項１０】
前記第２の封止用機構が、前記粘着物を含む前記封止用フラップの一部分を、前記粘着物を含まない前記封止用フラップの一部分から、弱め線に沿って切り離すことによって取り外される、請求項９に記載の包装用手段。
【請求項１１】
前記封止用フラップ及び前記カバー用フラップが、前記パネル部から弱め線に沿って切り離され得る、請求項８〜１０のいずれか一項に記載の包装用手段。
【請求項１２】
全ての前記形態において、前記２つの封止用手段がそれぞれ使用され得る、請求項４〜１１のいずれか一項に記載の包装用手段。
【請求項１３】
一枚の材料から一体的に形成されている、請求項１〜１２のいずれか一項に記載の包装用手段。
【請求項１４】
当該包装用手段を形成する型紙が、同一の雛形で完全にテッセレートされ得る、請求項１〜１３のいずれか一項に記載の包装用手段。
【請求項１５】
前記内容物収容部が、弱め線に沿って矩形管内へ折り畳まれ得る、請求項１〜１４のいずれか一項に記載の包装用手段。
【請求項１６】
略平坦となるように折り畳まれ得る、請求項１〜１５のいずれか一項に記載の包装用手段。
【請求項１７】
実質的に、添付図面を参照して前述された、かつ、添付図面に示されたものである包装用手段。
【発明の詳細な説明】
【技術分野】
【０００１】
本発明は、ギフトパッケージに関する。このギフトパッケージは１枚のシートからなり、このシートは、適当な材料又は材料の組合せ（前記材料は、紙、厚紙、板紙、段ボール、高分子材料、プラスチック材料、ホイル、又は同様なものを含み、１つ以上のこのような材料の積層品、及び／又は、コーティングを有する或いは有しないこのような材料又は積層品、又は、コーティングが施されているこのような材料又は積層品を含む）で形成され、形を作るために切断され、そして、ギフトカード、住所ラベル、及び、必要なフラップ（これは、パッケージの一部として取着されている封止用ユニットを形成するものである）を有する三次元ボックスに作り上げるために折り畳まれる。
【発明の概要】
【０００２】
パッケージは、厚紙、プラスチック或いは金属ベースに、又は、任意の他の種類の材料からなるベースに、薄板状の層（例えば、コーティングそのものとして高分子層又はホイル層）を用いて装飾することができ、例えば、板紙上に、着色されたコーティング材料を用いて装飾することができる。前記装飾は、材料上に模様又は他の装飾をプリント又はスクリーンし、その後、ベース材料又は任意の他の材料に前記装飾材料を接着することによって、又は、パッケージに装飾的な外観を作るために用いられる既知の又は以下の方法によって行うことができる。パッケージ用材料は、パッケージ及び内容物の完全性のために、硬質の又は半硬質の構造で形成されてもよい。
【０００３】
パッケージは、展示目的のための表面Ｆがグリーティングカードの表面を表す状態で、販売者によって折り畳まれ得る。ポストに入れて受領者に送るために、折り畳まれて封止されるとき、表面Ｆは包装（Ｉ）によってカバーされる。
【０００４】
保護用パッケージは必要ないが、装飾的な外観を有してもよく、かつ、受領者の住所を書くスペース及び切手用スペースを含むことができる。パッケージは、余裕のある箱又は品物用の箱の中に配置されている品物を受け入れることができる。
【０００５】
パッケージは、ギフトがその中に配置されるとパッケージを封止するための１つ以上のクロージャを含む。更に、保護用パッケージは、パッケージを封止するために、１つの自己封止用の粘着性の帯状片或いは複数の帯状片、又は、舌状片及び溝（さねはぎ）方法或いはパッケージを安全に閉じる同様な方法を含むことが好ましい。パッケージを立てるように、かつ、標準的なグリーティングカードとしての綺麗な外観を有することができるように、舌状片及びクロージャフラップは、カットすること又はミシン目に沿って引き裂くことによって取り外されてもよい。住所用パネルは、装飾されてもよく、装飾されなくてもよい。また、住所用パネルは、取り外されてもよく、取り外されなくてもよい。住所用パネルを取り外さない場合、パッケージは、図３に示すように、三次元のグリーティングカードの態様で折り畳まれてもよい。
【０００６】
本発明によると、内容物収容部と、弱め線に沿って、内容物収容部を塞がないように折り畳むことができるパネル部と、内容物収容部の封止用手段とを備えている包装用手段であって、前記パネル部は、少なくとも２つの形態に構成可能であり、その形態において、前記封止用手段によって、内容物収容部が封止されているとき、前記パネル部が自由に動くことができないように内容物収容部を封止することができる包装用手段が提供される。
【０００７】
好ましい一実施形態において、包装用手段は、全ての形態において、折り畳まれているパネル部が内容物収容部に実質的に完全に接して横たわっており、かつ、パネル部の露出部分を横断する弱め線が存在しないものである。
【０００８】
好ましい一実施形態において、包装用手段は、全ての前記形態において、パネル部の一部分が露出され、かつ、前記パネル部の残りが隠れており、前記形態の各々において、パネル部の異なる部分が露出されており、全ての前記形態において、パネル部における前記露出されている部分が、内容物収容部における同一表面上に露出されているものである。
【０００９】
包装用手段は、前記封止用手段が、少なくとも２つの異なる封止用機構を備えるものであってもよい。前記少なくとも２つの異なる封止用機構における第１の封止用機構によって、繰り返し開放及び再封することができる。前記少なくとも２つの異なる封止用機構における第２の封止用機構によって、１回のみ封止及び開封することができる。好ましくは、第１の封止用機構は、第２の封止用機構が使用され、かつ、開封された後でも、まだ使用され得る。
【００１０】
第１の封止用機構は、パネル部に一体的に取着されており、内容物収容部における開口部をカバーするためのカバー用フラップと、内容物収容部を封止するために内容物収容部内に折り畳まれるように、かつ、内容物収容部を開封するために引き抜くことができるように、カバー用フラップに一体的に接続されている封止用フラップとを備えていてもよい。
【００１１】
カバー用フラップが内容物収容部における開口部をカバー及び封止するように、封止用フラップを内容物収容部に固着するために、第２の封止用機構が、封止用フラップに配置されている粘着物を備えてもよい。第２の封止用機構は、粘着物を含む封止用フラップの一部分を、粘着物を含まない封止用フラップの一部分から、弱め線に沿って切り離すことによって取り外されてもよい。
【００１２】
好ましくは、封止用フラップ及びカバー用フラップは、パネル部から弱め線に沿って切り離され得る。
【００１３】
好ましくは、全ての前記形態において、２つの封止用手段が使用され得る。
【００１４】
包装用手段は、一枚の材料から一体的に形成されてもよい。好ましくは、当該包装用手段を形成する型紙が、同一の雛形で完全にテッセレート（tessellated:分割）され得る。
【００１５】
好ましくは、内容物収容部が、弱め線に沿って矩形管に折り畳まれ得る。更に、包装用手段は、略平坦となるように折り畳まれ得る。
【００１６】
添付図面は、本発明を理解するのに役立つ。しかし、図面は、決して本発明を制限するものではなく、本発明の好ましい製造方法を提供するために与えられている。
【図面の簡単な説明】
【００１７】
【図１】図１は、ギフトパッケージとしての閉鎖状態、かつ、即郵送可能な閉鎖状態にある本発明の一図面である。パネルＧは、ボックスの中に挿入されており、又は、糊或いは粘着性の帯状片によって又は任意の他の方法によって、パネルＤに取着されている。前記ボックスは、パネルＡ、Ｂ、Ｃ、Ｄ及びＥを折り畳むこと、かつ、ＡをＥに取着することによって作り上げられている。Ａ及びＥは、接着手段或いは粘着性の帯状片を用いることによって、又は、ボックスを作り上げるために、これらを一緒に取着させる舌状片又は他の方法を用いることによって、取着することができる。パネルＨは、ボックスの端部を閉じている。パネルＨ及びＧ、並びに、これと同じように作用するパネルＪ及びＫは、パッケージを封止するための他の方法に適応するために、図示の長さより長くてもよい。
【図２】図２は、パネルＩが、パネルＢに面するようにパネルＦの内側に折り畳まれている状態にある本発明の一図面である。これは、販売時における展示目的で使用される形態であるが、受領者に贈るために選ばれたギフトが郵送されてはならない形態であってもよい。パッケージは、再び閉じられるが、パッケージを封止するために、接着剤は使用されておらず、したがって、購入者がパッケージを開けて、内側（パネルＢ）に挨拶を書くことができる。
【図３】図３は、三次元の三面カードとして展示されていることを示す開放形態にある本発明の一図面である。パネルＪ及びＫ、並びに、Ｇ及びＨは、取り外されるか、パッケージの内部に折り畳まれており、ギフトは、パネルＡ、Ｂ、Ｃ、Ｄを折り畳むことによって作られている区画部から取り出されている。また、より標準的なグリーティングカードのままの状態にするために、パネルＩは取り外されてもよい。
【図４】図４は、郵送されるために閉鎖する工程における、本発明の一図面である。ギフトの贈与者は、パネルＢに挨拶を書いてから、本発明の折畳みによって形成されている空隙全体をパネルＨ及びＪによって閉じることができるように、パネルＧ及びＫを与えられた区画部に挿入するか、パネルＧ及びＫをパネルＤの外側に取着する。
【図５】図５は、組み立てられていない基本的な形態における本発明の一図面である。パッケージを作り上げるために、パネルＡはパネルＢに向かって９０°折り畳まれ、パネルＢはパネルＣに向かって折り畳まれ、パネルＣはパネルＤに向かって９０°折り畳まれ、パネルＤはパネルＥに向かって９０°折り畳まれ、パネルＡはパネルＥに取着されて、頂部及び底部を有しない三次元のボックスが形成される。その後、パネルＦがパネルＢに向かって９０°折り畳まれ、かつ、パネルＩが、パッケージが郵送されるか否かによって、パネルＦの正面又は背面に向かって９０°折り畳まれ得る。パッケージの底部は、その後、上記のように与えられた開放のボックス形状にパネルＫを挿入することによって閉じられる。また、パネルＪは、その後、中にギフトを挿入することができるコンテナを作り上げるためのバリヤとして機能する。パネルＧは、その後、上記のように与えられたコンテナの頂部に挿入され、かつ、パネルＨは、その後、即提供又は郵送されることができるようにパッケージを閉じることができる。
【図６】図６は、折り畳まれ得る方法を証明する本発明の底部又は頂部の立面図である。
【発明を実施するための形態】
【００１８】
本発明を理解するために、図５を最初に考慮することが有用である。図５は、本発明の一実施形態である組み立てていない型紙の平面図を示す。
【００１９】
包装用ユニットは、連続の一枚の適当な材料から形成されている型紙を折り畳むことによって組み立てられる。長方形のパネル（パネルＡ〜Ｋ）からなる型紙は、弱め線（図５において、パネルを仕切る実線によって表されている）に沿って一体的に連結されている。型紙は、これらの所定の弱め線に沿って折り畳まれる。
【００２０】
パネルＢ、Ｄ、Ｆ及びＩの寸法は、互いに実質的に同じである。パネルＣ及びＥの寸法も、実質的に同じであり、同様に、パネルＨ及びＪの寸法も同じである。
【００２１】
意図している実施形態において、パネルＧ及びＨの連結幅（図５に示すような、連結されている水平面上の寸法である）は、パネルＪ及びＫの連結幅と同じである。さらに、この連結幅は、パネルＩの幅（またしても、図５に示すような水平面上の寸法）の半分である。これによって、包装用ユニットを形成するための型紙は、一枚の材料を完全にテッセレートすることができ、型紙を切断するときの材料の浪費を最小限に抑えることができるという利点を有する。このテッセレートは、パネルＡ〜Ｆによって画成される型紙が互いに隣接して横たわるように、他の型紙が１８０°回転された状態で、複数の型紙を互いに隣接して配置することによって達成される。
【００２２】
図６に示すように、型紙は、パネルＡ、Ｂ、Ｃ、Ｄ及びＥが矩形管の形状にあるパッケージ又は内容物収容部を形成することができるように、折り畳まれている。一旦折り畳まれると、パネルＡは、任意の適当な接着手段によってパネルＥに固着される。これによって、矩形管を作り上げるために折り畳まれ得る環状部を形成することができる。したがって、矩形管は、一側面のパネルＡ及びＥ、他の側面の対向パネルＣによって、及び、パネルＢ及びＤで形成される残りの側面によって囲まれて形成される。
【００２３】
また、図６に示すように、型紙は、パネルＦ及びＩがパネルＢに完全に接して横たわるように更に折り畳まれ得る。したがって、パネルＦ及びＩは、環状部における一表面のためのリバーシブルカバーを形成している。すなわち、パネルＦ及びパネルＩのどちらも、図１及び図２に示すように、環状部の表面の上に見えるように折り畳まれ得る。この環状部を、パネルを接続している既存の弱め線に沿って、平坦に折り畳むことも可能である。このような包装用ユニットは、略平坦であるまで折り畳まれることができるため、包装用ユニットをこの程度のアセンブリで送るのを便利にしている。上記のようにパッケージへと型紙を組み立てることはとても簡単であり、これも利点である。
【００２４】
図１は、図６に示すように折り畳まれている包装用ユニットの斜視図を示す。パネルＦ及びパネルＩは、パネルＦがパネルＢに完全に接して横たわるよう、かつ、パネルＩがパネルＦに完全に接して横たわるように折り畳まれている。したがって、パネルＢ及びＦは、図面から隠れており、パネルＩの一面のみが露出されている。図２は、他の形態を示しており、ここで、パネルＩが、パネルＢとＦとの間に横たわるように折り畳まれている。すなわち、パネルＦがパネルＩに完全に接して横たわると同時に、パネルＩがパネルＢに完全に接して横たわっている。この形態において、パネルＦの一面のみが露出されると同時に、パネルＢ及びＩは、視覚から完全に隠れる。ここで、二つの形態において露出されている、パネルＦ及びパネルＩにおける面は、最初の型紙における異なる面に位置することに注意されたい。
【００２５】
図３は、包装用ユニットの更なる可能な形態を示す。この形態において、パネルＦ及びＩは、パネルＢと共に三角柱を形成するように折り畳まれている。この形態おいて、包装用ユニットは、パネルＦの表面（図２の形態において露出されている面）及びパネルＩの表面（図１の形態において露出されていない面）を外観上に出している。この形態に代わる形態において、パネルＩを、パネルＦとＢとの間に折り畳むことができ、したがって、パネルＦに隣接して横たわることができる。この形態において、包装用ユニットは、標準的なギフトカードに似ており、このようなカードと同じ方法で展示のために自立する。
【００２６】
本発明の包装用ユニットは、図１、図２及び図３に示す全ての形態において、露出されているパネルを横断する弱め線がないという利点を有する。
【００２７】
図４は、図１の形態に折り畳まれる包装用ユニットの斜視図を示す。図１又は図２のどちらの形態でも、パネルＨ及びＪは、パネルＡ〜Ｅによって作られる矩形管の開口端部をカバーするように折り畳まれている。これらのパネルを所定の位置に固定する（これによって、適当な内容物が収容され得る矩形管を封止することができる）ために、２つの封止用機構が設けられている。
【００２８】
第１の封止用機構によって、内容物収容部を繰り返し開放及び再封（reseal）することができる。好ましくは、第１の封止用機構が、パネルＡ〜Ｅによって囲まれている矩形管収容部の端部をカバーするための折畳み用パネルＨ及びＪと、矩形管収容部内の押込み用パネルＧ及びＫとを備えている。これによって、矩形管の端部を封止することができるだけでなく、パネルＧ及びＫを再び収容部から引き出すことによって、開放及び再封操作を繰り返すことができる。しかし、再使用可能な封止部を提供するための他の方法も用いることができ、例えば、パネルＧ及びＫに再使用可能な粘着性の帯状片を設けることができる。再使用可能な封止機構によって、ギフト又は他の内容物を収容部の中へ又は外へ滑動させること、かつ、任意の内容物を収容部の中で保護することが簡単になる。
【００２９】
第２の封止用機構は、１回だけ使用できる封止部を提供している。好ましくは、第２の封止用機構が、パネルＨ及びＪに設けられている粘着性の帯状片を備えている。矩形管収容部をカバーするためにパネルＧ及びＫが折り畳まれる場合、その際パネルＨ及びＪも折り畳まれて、矩形管の内容物収容部の外側にてパネルＤに隣接して横たわり、かつ、固着される。その後、内容物収容領域にアクセスしたいとき、封止部が、パネルＨ及びＪの帯状片を引き裂くことによって切れることが好ましい。前記帯状片の各々は、粘着性の帯状片よりもパネルＧ及びＫに近くして、パネルＨ及びＪに配置されている。これらの帯状片は、取り外しを容易にするよう予め画成又は用意されることが好ましい。これらの帯状片が一旦取り外されると、パネルＨ及びＪの一部分は、パネルＤに取着されて残るが、この部分は、パネルＨ及びＪの残部に長く取着されないであろう。すなわち、粘着性の帯状片を保持しているパネルＨ及びＪの一部分は、パネルＨ及びＪの残部から弱め線に沿って切り離される。したがって、パネルＨ及びＪの残り部分（パネルＤに取着されていない部分）及びパネルＧ及びＫは、自由に動くことができ、収容部が長く封止されないであろう。
【００３０】
第２の封止用機構における粘着性の帯状片は、図２の形態において露出されているパネルＦの表面と、型紙における同じ面に配置されている。したがって、第２の封止用機構は、図１又は図２の形態において配置されている包装用ユニットを有するとき用いられ得る。すなわち、図１及び図２の両形態において、パネルＨ及びＪの同じ側が、内容物収容部におけるパネルＤに接触するようになる。言い換えると、各封止用手段は、両形態において用いられ得る。
【００３１】
好ましい実施形態において、第２の封止用機構における封止部が切れた後でも、まだ第１の封止用機構を使用することが可能である。
【００３２】
図１及び図２における様々な可能な形態は、包装用ユニットが、折り畳まれているユニットにおける同じ表面に様々なものを表示するために使用され得るという利点を有する。したがって、パネルＦは、いくつかの装飾用写真又はメッセージを与えるために用いられてもよく、同時に、パネルＩは、他の情報を与えるために用いられてもよい。さらに、パネルＤは、図１及び２における形態のどちらにおいてもカバーされていない。したがって、矩形の収容管が形成されたとき外観上に見えるパネルＤの表面に与えられた任意の装飾又は情報は、常に見えであろう。
【００３３】
以下、他の形態及び封止用機構に関する使用例について説明する。包装用ユニットを、パネルＦの表面が露出されている形態で展示してもよい。この表面によって、グリーティングカードの正面を展示してもよい。次に、メッセージを、パネルＦの背面又はパネルＢに書くことができる。さらに、メッセージを、図１の形態において露出されていないパネルＩの表面に書くことができる。必要に応じて、これらのパネルに更なる装飾を施してもよい。
【００３４】
その後、パネルＩの表面を露出するように、包装用ユニットを再構成することができる。この表面に、住所を印刷するための、かつ、切手を貼るためのスペースを設けることができる。或いは、パネルＩに、切手が既に支払われているという表示を入れることができる。この形態において、前記のパネル表面（装飾及び任意の書面のメッセージが与えられている表面）は、隠されている。その後、パッケージを、この形態で送ることができる。
【００３５】
第２の封止用機構（より強い封止用機構）は、任意の送付（例えば、ポストを経由する送付）中に使用され得ると考えられる。第１の封止用機構（再使用可能な封止用機構）は、包装用ユニットがショップに陳列されているとき、かつ、包装用ユニットを送る直前まで、使用され得る。したがって、第２の封止用機構における粘着性の帯状片は、粘着性の帯状片が必要となるまで、カバーされたまま何処にも固着されないように、適当な非粘着性の材料からなる取外し可能な帯状片でカバーされ得る。
【００３６】
前記の例における包装用ユニットが送られて受け取ったとき、受取人は、第２の封止用機構における封止部を切って、内容物収容部に配置されているものを入手することができるであろう。さらに、彼ら／彼女らは、パネルＦにおける装飾表面が露出されるように、かつ、送付中に隠されていた他のパネルにおける任意のメッセージ又は装飾が見えるように、包装用ユニットを再構成することができるであろう。したがって、包装用ユニットは、パッケージ又はギフトを開ける喜び、さらに、グリーティングカードを開ける喜びを与えることができるという利点を有する。
【００３７】
また、この包装ユニットは、その後、グリーティングカードのように展示され得ると考えられる。包装用ユニットは、図３の形態における三面カードとして展示され得る。また、包装用ユニットを標準的なグリーティングカードに近い形態で展示できるように、パネルＩをパネルＦとパネルＢとの間に折り畳むこともできる。これらの形態のどちらも、パネルＧ及びＫが隠れるように、かつ、包装用ユニットの直立に妨げとならないように、パネルＧ及びＫを折り重ねることによって容易に作れる。また、パネルＧ及びＫは、これらがパネルＨ及びＪに取着される弱め線に沿って引き離され得ることを可能にしている。したがって、受領した後、包装用ユニットを展示したいとき、パネルＧ及びＫを簡単に取り外すことができる。
【００３８】
また、パネルＩがパネルＦに取着される弱め線に沿って、パネルＩを引き離され得るようにすることができると考えられる。受領した後、包装用ユニットを標準的なグリーティングカードのように展示することができるように、パネルＩを包装用ユニットから完全に取り外すことができ、内側に折り畳まれている追加のパネルを有しない。
【００３９】
本発明における更に有利な実施形態も考えられる。例えば、包装用ユニットの寸法は、内容物収容部を膨らませたとき、包装用ユニットが標準的なレターボックスから簡単に通り抜けるように選ぶことが好ましい。また、包装用ユニットの寸法は、ショップに置いてある既存の展示用場所（例えば、ＣＤを展示するために使用される場所）に包装用ユニットを展示することができるように選ぶことができると考えられる。
【００４０】
また、様々な露出表面を与えながらパネルにおける他の表面を隠すように構成され得るパネルとなる能力を維持している、前記の例における長方形以外の包装用型紙及び包装用形状を用いることができると考えられる。例えば、包装用ユニットのための更なる可能な形態を与えるために、他の型紙は、パネルＦとＩとの間に更なる追加のパネルを備えることができる。
【図１】
2011509896.tif 000003
【図２】
2011509896.tif 000004
【図３】
2011509896.tif 000005
【図４】
2011509896.tif 000006
【図５】
2011509896.tif 000007
【図６】
2011509896.tif 000008
【手続補正書】
【提出日】平成22年8月25日(2010.8.25)
【手続補正１】
【補正対象書類名】特許請求の範囲
【補正対象項目名】全文
【補正方法】変更
【補正の内容】
【特許請求の範囲】
【請求項１】
内容物収容部と、
弱め線に沿って、前記内容物収容部を塞がないように折り畳むことができるパネル部と、
前記内容物収容部の封止用手段と
を備えている包装用手段であって、
前記パネル部は、少なくとも２つの形態に構成可能であり、前記形態において、前記封止用手段は、前記内容物収容部が封止されているとき、前記パネル部が自由に動くことができないように前記内容物収容部を封止することができ、
前記封止用手段が少なくとも２つの異なる封止用機構を備えている、包装用手段において、
第１の封止用機構が、
前記内容物収容部における開口部をカバーするためのカバー用フラップであり、前記パネル部に一体的に取着されているカバー用フラップと、
前記内容物収容部を封止するために前記内容物収容部内に折り畳まれるように、かつ、前記内容物収容部を開封するために引き抜くことができるように、前記カバー用フラップに一体的に接続されている封止用フラップと、
を備えている、包装用手段。
【請求項２】
全ての前記形態において、折り畳まれている前記パネル部が前記内容物収容部に実質的に完全に接して横たわっており、かつ、前記パネル部の露出部分を横断する弱め線が存在しない、請求項１に記載の包装用手段。
【請求項３】
全ての前記形態において、前記パネル部の一部分が露出され、かつ、前記パネル部の残りが隠れており、前記形態の各々において、前記パネル部の異なる部分が露出されており、全ての前記形態において、前記パネル部における前記露出されている部分が、前記内容物収容部における同一表面上に露出されている、請求項１又は２に記載の包装用手段。
【請求項４】
前記少なくとも２つの異なる封止用機構における前記第１の封止用機構によって、繰り返し開放及び再封することができる、請求項１〜３のいずれか一項に記載の包装用手段。
【請求項５】
前記少なくとも２つの異なる封止用機構における第２の封止用機構によって、１回のみ封止及び開封することができる、請求項１〜４のいずれか一項に記載の包装用手段。
【請求項６】
前記第１の封止用機構は、前記第２の封止用機構が使用され、かつ、開封された後でも、まだ使用され得る、請求項５に記載の包装用手段。
【請求項７】
前記カバー用フラップが前記内容物収容部における前記開口部をカバー及び封止するように、前記封止用フラップを前記内容物収容部に固着するために、前記第２の封止用機構が、前記封止用フラップに配置されている粘着物を備えている、請求項１〜６のいずれか一項に記載の包装用手段。
【請求項８】
前記第２の封止用機構が、前記粘着物を含む前記封止用フラップの一部分を、前記粘着物を含まない前記封止用フラップの一部分から、弱め線に沿って切り離すことによって取り外される、請求項７に記載の包装用手段。
【請求項９】
前記封止用フラップ及び前記カバー用フラップが、前記パネル部から弱め線に沿って切り離され得る、請求項１〜８のいずれか一項に記載の包装用手段。
【請求項１０】
全ての前記形態において、前記２つの封止用手段がそれぞれ使用され得る、請求項１〜９のいずれか一項に記載の包装用手段。
【請求項１１】
一枚の材料から一体的に形成されている、請求項１〜１０のいずれか一項に記載の包装用手段。
【請求項１２】
当該包装用手段を形成する型紙が、同一の雛形で完全にテッセレートされ得る、請求項１〜１１のいずれか一項に記載の包装用手段。
【請求項１３】
前記内容物収容部が、弱め線に沿って矩形管内へ折り畳まれ得る、請求項１〜１２のいずれか一項に記載の包装用手段。
【請求項１４】
略平坦となるように折り畳まれ得る、請求項１〜１３のいずれか一項に記載の包装用手段。
【手続補正２】
【補正対象書類名】明細書
【補正対象項目名】００２９
【補正方法】変更
【補正の内容】
【００２９】
第２の封止用機構は、１回だけ使用できる封止部を提供している。好ましくは、第２の封止用機構が、パネルＧ及びＫに設けられている粘着性の帯状片を備えている。矩形管収容部をカバーするためにパネルＨ及びＪが折り畳まれる場合、その際パネルＧ及びＫも折り畳まれて、矩形管の内容物収容部の外側にてパネルＤに隣接して横たわり、かつ、固着される。その後、内容物収容領域にアクセスしたいとき、封止部は、パネルＧ及びＫの帯状片を引き裂くことによって切れることが好ましい。前記帯状片の各々は、粘着性の帯状片よりもパネルＨ及びＪに近くして、パネルＧ及びＫに配置されている。これらの帯状片は、取り外しを容易にするように予め画成又は用意されることが好ましい。これらの帯状片が一旦取り外されると、パネルＧ及びＫの一部分は、パネルＤに取着されて残るが、この部分は、パネルＧ及びＫの残部に長く取着されないであろう。すなわち、粘着性の帯状片を保持しているパネルＧ及びＫの一部分は、パネルＧ及びＫの残部から弱め線に沿って切り離される。したがって、パネルＧ及びＫの残り部分（パネルＤに取着されていない部分）及びパネルＨ及びＪは、自由に動くことができ、収容部が長く封止されないであろう。
【手続補正３】
【補正対象書類名】明細書
【補正対象項目名】００３０
【補正方法】変更
【補正の内容】
【００３０】
第２の封止用機構における粘着性の帯状片は、図２の形態において露出されているパネルＦの表面と、型紙における同じ面に配置されている。したがって、第２の封止用機構は、図１又は図２の形態において配置されている包装用ユニットを有するとき用いられ得る。すなわち、図１及び図２の両形態において、パネルＧ及びＫの同じ側が、内容物収容部におけるパネルＤに接触するようになる。言い換えると、各封止用手段は、両形態において用いられ得る。
【国際調査報告】
2011509896.tif 000009
2011509896.tif 000010
2011509896.tif 000011